(57)【要約】【課題】  ボックスプリントにおいてユーザがボックス内にジョブを保存したことを忘れてしまった場合に、ボックス保存領域を無駄に消費してしまう問題を解決し、記憶領域を有効利用する。【解決手段】  ユーザから受信したプリントジョブがボックス内に未印刷ジョブを持つユーザからの印刷ジョブを受信した際に、それらが同一ファイルである場合、その旨ジョブポップ・アップ表示等によりその旨をユーザへ通知しボックス内のジョブを削除する。【選択図】  図１
2006239932.tif 000002
【特許請求の範囲】
【請求項１】
外部装置から入力される入力データを記憶する記憶手段と、前記記憶手段に記憶されている入力データを読み出して印刷する画像印刷手段と、を備える画像形成装置において、前記記憶手段に記憶されている既入力データと新規入力データとを比較する比較手段と、前記比較手段の比較結果に基づき前記既入力データの処理を行うデータ処理手段とを保持することを特徴とする画像形成装置。
【請求項２】
前記記憶手段の記憶領域は複数の領域に分けて管理されていることを特徴とする請求項１記載の画像形成装置。
【請求項３】
前記比較手段は、所定のキー情報に基づき前記既入力データと前記新規入力データとの差異を判定する差異判定ステップを有することを特徴とする請求項１記載の画像形成装置。
【請求項４】
前記所定のキー情報が、前記既入力データ所有者、入力データの元ファイル名、入力データサイズ及び入力データの元ファイルの更新日であることを特徴とする、請求項１から請求項３のいずれかに記載の画像形成装置。
【請求項５】
前記データ処理手段は、前記差異が存在しない場合は、前記既入力データを消去することを特徴とする請求項１から請求項４のいずれかに記載の画像形成装置。
【発明の詳細な説明】
【技術分野】
【０００１】
本発明は、外部装置から入力される入力データを格納する記憶手段を備えたデジタル複写機等の画像形成装置を有する画像形成装置に関するものである。
【背景技術】
【０００２】
一般に、デジタル複写機においては、コピー機能とプリンタ機能などの他の機能とが複合化されており、このデジタル複写機としては、スキャナから読み取った画像データ、ホストコンピュータからネットワークを介して受信したＰＤＬデータを展開することによって得られた画像データを、ハードディスクなどの記憶装置に一旦記憶し、その記憶装置から任意の画像データを繰り返し読み出してプリントアウトする機能が設けられているものがある。
【０００３】
また、上記デジタル複写機においては、機密書類など他人に見られたくないデータをユーザ自身によってプリントアウトするためのボックスプリント機能が実現されている。このボックスプリント機能は、ハードディスク等の記憶装置に予め指定されて設けられた領域に個人向けの画像データを記憶させ、パスワードなどを用いてこの領域から画像データを読み出してプリントアウトする機能である。
【０００４】
例えば、ユーザが機密書類となるデータを作成してプリントアウトする場合には、ボックスプリント機能により、作成したデータを記憶装置の予め指定された領域に一旦格納した後に、ユーザがデジタル複写機上の操作パネルなどを介してパスワードを入力する。このパスワードの入力により、記憶装置の予め指定された領域からデータが読み出されてプリントアウトされる。このように、ボックスプリント機能を利用すれば、他人に見られたくないデータを他人に見られることなく出力することができる。
【０００５】
ここでボックスプリント機能に対応して設けられた記憶装置の記憶領域は有限であることから、前記記憶領域のオーバーフローを回避することが必要となる。例えば、この領域に格納されているデータをユーザにより任意のタインミングで消去する機能や、一定期間出力されない場合、データを自動的に削除する機能が実装されている。
【０００６】
又、別の従来例としては、特許文献１及び特許文献２をあげることが出来る。
【特許文献１】特開２００２−０５９５９３号公報
【特許文献２】特開２００２−２１８２５８号公報
【発明の開示】
【発明が解決しようとする課題】
【０００７】
しかしながら、ユーザがあるプリントジョブをボックスプリントしたことを忘れてしまい、再度同一のプリントジョブのボックスプリントを行った場合、ユーザによる任煮のタイミングでのボックスプリント削除機能はその機能を効果的に果たされず、また、一定期間出力されない場合にデータを自動的に削除する機能は、データを削除する期間が長期間に設定されている場合においてはその機能は効果的に果たされず、同一プリントジョブが記憶装置の記憶領域を無駄に占有してしまうという問題があった。
【０００８】
本発明では上述した問題点を鑑みて成されたものであり、その目的とするところは、ボックスプリント機能を用いたプリントにおいて記憶領域を有効利用するである。
【課題を解決するための手段】
【０００９】
上記目的を達成するために、本発明における請求項１に記載の画像形成装置では、外部装置から入力される入力データを記憶する記憶手段と、前記記憶手段に記憶されている入力データを読み出して印刷する画像印刷手段と、を備える画像形成装置において、前記記憶手段に記憶されている既入力データと新規入力データとを比較する比較手段と、前記比較手段の比較結果に基づき前記既入力データの処理を行うデータ処理手段とを保持することを特徴とする。
【００１０】
また、上記目的を達成するために、本発明における請求項２に記載の画像形成装置では、前記記憶手段の記憶領域は複数の領域に分けて管理されていることを特徴とする。
【００１１】
また、上記目的を達成するために、本発明における請求項３に記載の画像形成装置では、前記比較手段は、所定のキー情報に基づき前記既入力データと前記新規入力データとの差異を判定する差異判定ステップを有することを特徴とする。
【００１２】
また、上記目的を達成するために、本発明における請求項４に記載の画像形成装置では、前記所定のキー情報が、前記既入力データ所有者、入力データの元ファイル名、入力データサイズ及び入力データの元ファイルの更新日であることを特徴とする。
【００１３】
また、上記目的を達成するために、本発明における請求項５に記載の画像処理装置では、前記データ処理手段は、前記差異が存在しない場合は、前記既入力データを消去することを特徴とする。
【発明の効果】
【００１４】
以上説明したように、本発明の画像形成装置によれば、ボックスプリント及びＰＤＬプリントの何れにおいても、プリントジョブが記憶装置の記憶領域を無駄に占有してしまうプリントジョブを削除することが可能となり、記憶領域の有効利用が実現できる。
【発明を実施するための最良の形態】
【００１５】
以下、この発明の好適な実施の形態について図面を参照しながら例示的に詳しく説明する。ただし、この実施の形態に記載されている構成要素はあくまで例示であり、この発明の範囲をそれらのみに限定する趣旨のものではない。
【００１６】
（第１の実施形態）
図１は本発明の実施の第１形態に係る画像入出力システムの構成を示すブロック図である。本実施の形態では、画像処理装置として、コピー機能、スキャナ機能、プリンタ機能、ファクシミリ機能およびボックス機能を有する画像入出力システムを例に説明する。
【００１７】
画像入出力システム１００は、図１に示すように、リーダ部２００と、プリンタ部３００と、制御装置１１０と、操作部１５０とを備える。リーダ部２００は、原稿を給紙するための原稿給紙ユニット２５０と、原稿給紙ユニット２５０から給紙された原稿上の画像を読み取るためのスキャナユニット２１０とを有し、スキャナユニット２１０により読み取られた画像データは、制御装置１１０に入力される。
【００１８】
プリンタ部３００は、給紙ユニット３１０と、マーキングユニット３２０と、排紙ユニット３３０とを有する。給紙ユニット３１０は、異なるサイズの記録紙をそれぞれ収容する複数のカセットを搭載し、各カセットから記録紙を給紙する。マーキングユニット３２０は、電子写真方式による画像形成プロセスを有するユニットである。このマーキングユニット３２０においては、ＬＡＮ４００に接続されたＰＣ（ホストコンピュータ）４１１，４１２またはスキャナユニット２１０から制御装置１１０を介して入力された画像データに基づき給紙ユニット３１０から給紙された記録紙上に画像形成を行う。排紙ユニット３３０は、マーキングユニット３２０により画像形成された記録紙をソート、ステイプルなどの処理を施して排紙する。
【００１９】
制御装置１１０は、リーダ部２００およびプリンタ部３００と電気的に接続されるとともに、ＰＣ４１１，４１２を収容するＬＡＮ４００および不図示の公衆回線に接続されている。制御装置１１０は、リーダ部２００により原稿の画像データを読み取り、この画像データをプリンタ部３００に出力して記録紙上に画像を形成するように制御することによって、コピー機能を実現する。また、リーダ部２００で読み取られた画像データをコードデータに変換し、ＬＡＮ４００を介してＰＣ４１１，４１２に送信するように制御することによって、スキャナ機能を実現する。さらに、各ＰＣ４１１，４１２からＬＡＮ４００を介して受信したコードデータを画像データに変換し、この画像データをプリンタ部３００に出力するように制御することによって、プリンタ機能を実現する。さらに、リーダ部２００により原稿の画像データを読み取り、この画像データを不図示のＦＡＸボードに出力し、また公衆回線に送出された画像データをＦＡＸボードを介して受信してプリンタ部３００に出力することによって、ファクシミリ機能を実現する。
【００２０】
また、制御装置１１０には、ハードディスクドライブ（ＨＤドライブ）１６０が接続され、このハードディスクドライブ１６０の記憶領域は、後述するように複数の領域に分割され、各領域には画像データが格納される。制御装置１１０は、このハードディスクドライブ１６０のハードディスクを用いてボックス機能を実現する。このボックス機能の詳細については、後述する。
【００２１】
操作部１５０は、制御装置１１０に対する指示入力などを行うための各種キーおよびユーザとのインタフェース画面を表示するための液晶表示パネルを有し、各種キーに操作に応じて対応する信号を発生して制御装置１１０へ出力する。
【００２２】
次に、制御装置１１０の詳細構成について図２を参照しながら説明する。
【００２３】
図２は図１の画像入出力システムにおける制御装置１１０の構成を示すブロック図である。制御装置１１０は、装置全体の制御を行うメインコントローラ１１１を有し、このメインコントローラ１１１には、ＣＰＵ１１２、バスコントローラ１１３、不図示の各種Ｉ／Ｆコントローラ回路などが設けられている。また、メインコントローラ１１１には、ＲＯＭ１１４がＩ／Ｆ１１５を介して、ＤＲＡＭ１１６がＩ／Ｆ１１７を介してそれぞれ接続されている。ＣＰＵ１１２は、ＲＯＭ１１４からＩ／Ｆ１１５を介して読み込んだプログラムに従い各種処理を行う。例えば、各ＰＣ４１１，４１２から受信したＰＤＬ（ページ記述言語）を解釈し、ラスタイメージデータに展開する展開処理などを行う。ＣＰＵ１１２の作業領域は、ＤＲＡＭ１１６により提供される。このＤＲＡＭ１１６には、画像データも格納される。また、本画像処理装置における、後述するフローチャートで示される制御処理は、ＲＯＭ１１４もしくはＨＤ１６２に格納されている制御プログラムをＤＲＡＭ１１６に読出し、ＣＰＵ１１２が該制御プログラムに基づいて処理することにより実現される。
【００２４】
また、メインコントローラ１１１には、コーデック（Ｃｏｄｅｃ）１１８がＩ／Ｆ１２０を介して接続され、コーデック１１８はＤＲＡＭ１１６に格納されたラスタイメージデータをＭＨ／ＭＲ／ＭＭＲ／ＪＢＩＧなどの方式で圧縮し、また逆に圧縮され蓄積されたコードデータをラスタイメージデータに伸長する。コーデック１１８の処理に伴う作業領域は、ＳＲＡＭ１１９により提供される。コーデック１１８とＤＲＡＭ１１６との間のデータ転送は、ＤＭＡ方式により行われ、その制御はバスコンコントローラ１１３によって行われる。
【００２５】
さらに、メインコントローラ１１１には、ネットワークコントローラ１２１がＩ／Ｆ１２３を介して接続され、このネットワークコントローラ１２１は、イーサネット（登録商標）などのネットワーク機能を有する。ネットワークコントローラ１２１には、コネクタ１２２が設けられ、このコネクタ１２２は前述のＬＡＮ４００に接続されている。
【００２６】
さらに、メインコントローラ１１１には、拡張ボードを接続するための拡張コネクタ１２４およびＩ／Ｏ制御部１２６が汎用高速バス１２５を介して接続されている。ここで、汎用高速バス１２５は例えばＰＣＩバスからなる。本実施の形態では、ファクシミリ機能を実現するために、拡張コネクタ１２４には不図示のＦＡＸボードが接続され、このＦＡＸボードには公衆回線に接続されている。
【００２７】
Ｉ／Ｏ制御部１２６は、リーダ部２００、プリンタ部３００の各ＣＰＵと制御コマンドを送受信するための２チャンネルの調歩同期シリアル通信コントローラ１２７を含み、Ｉ／Ｏバス１２８を介してスキャナＩ／Ｆ１４０およびプリンタＩ／Ｆ１４５と接続されている。
【００２８】
また、Ｉ／Ｏ制御部１２６には、パネルＩ／Ｆ１３２が接続され、パネルＩ／Ｆ１３２は、操作部１５０とのインタフェースである。このパネルＩ／Ｆ１３２には、ＬＣＤコントローラ１３１が接続され、ＬＣＤコントローラ１３１は、操作部１５０に設けられた液晶表示パネルの駆動を行う。また、パネルＩ／Ｆ１３２は、操作部１５０のハードキー、ソフトキーの操作に応じて入力されたキー信号を取り込むためのＩ／Ｆ１３０を含む。
【００２９】
さらに、Ｉ／Ｏ制御部１２６には、装置内で管理する日時を更新、保存するためのリアルタイムクロックモジュール１３３およびＥ−ＩＤＥコネクタ１６１が接続され、このリアルタイムクロックモジュール１３３はバックアップ用電池１３４でバックアップされている。Ｅ−ＩＤＥコネクタ１６１は、外部記憶装置を接続するためのコネクタであり、このコネクタ１６１にハードディスク、ＭＯドライブなどの外部記憶装置を接続することによって、この外部記憶装置に画像データを書き込み、また読み出すことができる。本実施の形態では、ハードディスクドライブ（ＨＤドライブ）１６０が接続され、このＨＤドライブ１６０はハードディスク（ＨＤ）１６２を駆動する。
【００３０】
スキャナＩ／Ｆ１４０は、スキャナバス１４１を介してメインコントローラ１１１に接続され、また、リーダ部２００と接続するコネクタ１４２が設けられている。スキャナＩ／Ｆ１４０とコネクタ１４２とは、同調歩同期シリアルＩ／Ｆ１４３およびビデオＩ／Ｆ１４４を介して接続されている。スキャナＩ／Ｆ１４０は、リーダ部２００から受け取った画像に対して最適な二値化処理、変倍処理などを行う処理機能を有し、また、リーダ部２００から受け取ったビデオ制御信号に基づき制御信号を生成し、この制御信号をスキャナバス１４１を介してメインコトローラ１１１に出力する機能を有する。ここで、スキャナバス１４１からＤＲＡＭ１１６へのデータ転送は、バスコントローラ１１３により制御される。
【００３１】
同様に、プリンタＩ／Ｆ１４５は、プリンタバス１４６を介してメインコントローラ１１１に接続され、また、プリンタ部３００と接続するコネクタ１４７が設けられている。プリンタＩ／Ｆ１４５とコネクタ１４７とは、同調歩同期シリアルＩ／Ｆ１４８およびビデオＩ／Ｆ１４９を介して接続されている。プリンタＩ／Ｆ１４５は、メインコントローラ１１１から出力された画像データにスムージング処理を施してプリンタ部３００へ出力する機能を有し、また、プリンタ部３００から受け取ったビデオ制御信号に基づき制御信号を生成し、この制御信号をプリンタバス１４６を介してメインコトローラ１１１に出力する機能を有する。ＤＲＡＭ１１６上で展開されたラスタイメージデータのプリンタ部３００への転送は、バスコントローラ１１３によって制御され、プリンタバス１４６、ビデオＩ／Ｆ１４９を経由してプリンタ部３００へ転送される。
【００３２】
次に、ハードディスク１６２の論理的な使用方法について図３を参照しながら説明する。
【００３３】
図３は前述のハードディスク１６２の記憶領域を複数の領域に論理的に分けた状態を模式的に示す図である。
【００３４】
ハードディスク１６２の記憶領域は、図３に示すように、テンポラリ領域３０１とボックス領域３０２とに論理的に分けられる。テンポラリ領域３０１は、画像データの出力順序を変更し、複数部数出力において１回のスキャンで出力を可能にするために、ＰＤＬの展開データやスキャナユニット２１０からの画像データを一時的に記憶する領域である。ボックス領域３０２は、ボックス機能に使用される領域であり、予め決められている数の領域に分割されている。本実施の形態では、ボックス領域３０２が各領域３０３〜３０７に分割されているものとする。各領域３０３〜３０７は、各ユーザや部署毎に割り当てられ、各領域３０３〜３０７には対応するボックス番号、ボックス名、パスワードのそれぞれが割り付けられている。ユーザは、ボックス番号を指定することによってこのボックス番号に対応する領域にアクセスすることができ、パスワードの入力によって、対応する領域の画像データを読み出し、プリントアウトや送信することが可能になる。
【００３５】
このように、ユーザによりハードディスク１６２のボックス領域３０２内の領域を指定し、この指定された領域に画像データを格納し、ユーザの操作によりこの画像データを任意のタイミングで読み出してプリントアウト、ファクシミリ送信などを行うことができる機能をボックス機能という。
【００３６】
次に、ボックス機能のボックス登録について図４を参照しながら説明する。図４は図１の画像入出力システムにおけるボックス登録の手順を示すフローチャートである。ここでは、ＰＣ４１１から送信されたＰＤＬデータをハードディスク１６２のボックス領域内の指定された領域に格納する場合について説明する。
【００３７】
ボックス登録では、図４に示すように、まずステップＳ４０１においてＰＣ４１１上でユーザによりプリント設定を行う。このプリント設定においては、部数、用紙サイズ、拡大縮小率、片面／両面、ページ出力順序、ソート出力、ステイプル処理の有無などが設定される。続いてステップＳ４０２に進み、ＰＣ４１１上でボックス番号（ＢＯＸ番号）を入力してハードディスク１６２のボックス領域３０２内の領域を指定する。例えば、ユーザによりボックス番号「１」が入力されると、このボックス番号「１」に対応する領域として、ボックス領域３０２内の領域３０３が指定されることになる。そして、ステップＳ４０３に進み、ＰＤＬデータを画像入出力システム１００の制御装置１１０へＬＡＮ４００を介して転送する。ここでは、具体的には、ＰＣ４１１上で印刷指示が与えられると、この印刷指示に応じてＰＣ４１１上にインストールされているプリンタドライバが印刷対象となるコードデータをＰＤＬ（ページ記述言語）データに変換する。このＰＤＬデータは上記ステップＳ４０１で設定されたプリント設定パラメータとともに、制御装置１１０へ転送される。
【００３８】
次いで、ステップＳ４０４に進み、制御装置１１０により転送されたＰＤＬデータを画像データに展開（ラスタライズ）し、続くステップＳ４０５で、展開された画像データをハードディスク１６２のボックス領域３０１内の指定されたテンポラリ領域領域に一時格納する。
【００３９】
その後ステップＳ４０６において、前述の一時格納した画像データと同一データがハードディスク１６２内の各ボックス領域内に存在するか否かの判定を行う。同一データ存在有無の確認は、画像データが属性として持つ、ボックス登録ユーザ識別子、画像データサイズ、画像データの元ファイル名、画像データの元ファイルの更新日をキーとして、既にボックス領域内に格納されている画像データとの一致を試みることにより行う。前記各キーの全てまたは何れかが一致する画像データが存在する場合は、その旨をステップＳ４０７において、ユーザへ通知する。通知方法としては、ユーザがＢＯＸ登録を行ったＰＣ４１１の表示画面上へのモーダルなポップアップ表示を用いる。一方、同一データが存在しない場合は、Ｓ４１０において画像データをＳ４０２において指定したボックス領域に格納することで、本処理を終了する。
【００４０】
図５に、同一データがハードディスク１６２のボックス領域３０２に前記同一データが存在する場合における前記ポップアップ表示例を示す。ＢＯＸデータ消去確認画面５０１上には、Ｓ４０６において検出された画像データのファイル名５０２、画像データサイズ５０３及び画像データのＢＯＸ登録日時５０４をそれぞれ表示する。ここで、ユーザがＯＫボタン５０５を押下した場合はステップＳ４０９においてＢＯＸデータを消去しＳ４１０において画像データをＳ４０２において指定したボックス領域に格納することで本処理を終了する。一方、データ消去確認画面５０１において、ユーザがＣＡＮＣＥＬボタン５０６を押下した場合は、Ｓ４１０において画像データをＳ４０２において指定したボックス領域に格納することで本処理を終了する。
【００４１】
このように図４に示すプロセスを用いることで、ＢＯＸ機能を用いる場合においてハードディスク１６２内の各ボックス領域内に同一ジョブを重複して格納する状況を未然に回避することが出来ると共に、ハードディスク１６２の記憶領域の有効利用が可能となる。
【００４２】
次に、ＰＤＬプリント動作時の手順について図６を用いて説明する。
【００４３】
図６は、本実施形態における画像形成システムにおけるＰＤＬプリントの手順を示すフローチャートである。ここでは、ＰＣ４１１から送信されたＰＤＬデータを、ＢＯＸ機能を用いず直接出力する場合について説明する。
【００４４】
図６において、まずステップＳ６０１においてＰＣ４１１上でユーザによりプリント設定を行う。このプリント設定においては、部数、用紙サイズ、拡大縮小率、片面／両面、ページ出力順序、ソート出力、ステイプル処理の有無などが設定される。続いてステップＳ６０２に進み、ＰＤＬデータを画像入出力システム１００の制御装置１１０へＬＡＮ４００を介して転送する。ここでは、具体的には、ＰＣ４１１上で印刷指示が与えられると、この印刷指示に応じてＰＣ４１１上にインストールされているプリンタドライバが印刷対象となるコードデータをＰＤＬ（ページ記述言語）データに変換する。このＰＤＬデータは上記ステップＳ６０１で設定されたプリント設定パラメータとともに、制御装置１１０へ転送される。
【００４５】
次いで、ステップＳ６０３に進み、制御装置１１０により転送されたＰＤＬデータを画像データに展開（ラスタライズ）し、続くステップＳ６０４で、展開された画像データをハードディスク１６２のボックス領域３０１内の指定されたテンポラリ領域領域に一時格納する。
【００４６】
その後ステップＳ６０５において、前述の一時格納した画像データと同一データがハードディスク１６２内の各ボックス領域内に存在するか否かの判定を行う。同一データ存在の判定は、画像データが属性として持つ、ボックス登録ユーザ識別子、画像データサイズ、画像データの元ファイル名、画像データの元ファイルの更新日をキーとして、既にボックス領域内に格納されている画像データとの一致を試みることにより行う。前記各キーの全てまたは何れかが一致する画像データが存在する場合は、その旨をステップＳ６０６においてユーザへ通知する。通知方法としては、ユーザがＢＯＸ登録を行ったＰＣ４１１の表示画面上へのモーダルなポップアップ表示を用いる。一方、同一データが存在しない場合は、Ｓ６０４においてハードディスク１６２のボックス領域３０１内の指定されたテンポラリ領域領域に一時格納画像データをＳ６０９においてプリント出力し、本処理を終了する。
【００４７】
図５に、同一データがハードディスク１６２のボックス領域３０２に前記同一データが存在する場合における前記ポップアップ表示例を示す。ＢＯＸデータ消去確認画面５０１上には、Ｓ６０５において検出された画像データのファイル名５０２、画像データサイズ５０３及び画像データのＢＯＸ登録日時５０４をそれぞれ表示する。ここで、ユーザがＯＫボタン５０５を押下した場合はステップＳ６０８においてＢＯＸデータを消去し、Ｓ６０４においてハードディスク１６２のボックス領域３０１内の指定されたテンポラリ領域領域に一時格納画像データをＳ６０９においてプリント出力を行う。一方、データ消去確認画面５０１において、ユーザがＣＡＮＣＥＬボタン５０６を押下した場合は、Ｓ６０４においてハードディスク１６２のボックス領域３０１内の指定されたテンポラリ領域領域に一時格納画像データをＳ６０９においてプリント出力を行う。
【００４８】
このように図６に示すプロセスを用いることで、ＰＤＬプリントを実施する場合においてハードディスク１６２内の各ボックス領域内に格納された無駄なジョブを削除することが出来ると共に、ハードディスク１６２の記憶領域の有効利用が可能となる。
【図面の簡単な説明】
【００４９】
【図１】本発明の第１の実施形態における画像入出力システムの構成を示すブロック図である。
【図２】図１の画像入出力システムにおける制御装置１１０の構成を示すブロック図である。
【図３】図１の画像入出力システムのハードディスク１６２の記憶領域を複数の領域に論理的に分割した状態を模式的に示す図である。
【図４】図１の画像入出力システムにおけるボックス登録の手順を示すフローチャートである。
【図５】図１の画像入出力システムにおけるボックス登録手順におけるポップアップ表示の一例を示す図である。
【図６】図１の画像入出力システムにおけるＰＤＬプリントの手順を示すフローチャートである。
【符号の説明】
【００５０】
１００  画像入出力システム
１１０  制御装置
１１１  メインコントローラ
１１２  ＣＰＵ
１１４  ＲＯＭ
１１６  ＤＲＡＭ
１５０  操作部
１６０  ハードディスクドライブ
１６２  ハードディスク
３００  プリント部
４００  ＬＡＮ
４１１，４１２  ＰＣ
４０２  ボックス領域
【図１】
2006239932.tif 000003
【図２】
2006239932.tif 000004
【図３】
2006239932.tif 000005
【図４】
2006239932.tif 000006
【図５】
2006239932.tif 000007
【図６】
2006239932.tif 000008